(57)【要約】  無線遠隔通信方法、コンピュータ・プログラム製品およびネットワーク・ノードが開示される。この方法は、ダウンリンク制御チャネル内で、所期のユーザ機器のための同一の反復する構成メッセージを符号化するステップを含み、構成メッセージは、ユーザ機器がトラフィック・チャネルを介してダウンリンク・トラフィックにアクセスできるようにするための構成情報を提供し、構成メッセージは、一定の回数だけ、制御チャネルの、相当する個数のサブフレーム内で反復される。構成メッセージを複数のサブフレーム内で反復することにより、ユーザ機器は、構成メッセージが復号され得る可能性を増大させるために、連続する反復からのエネルギーを合成することができる。したがって、このような反復によって、減衰の大きいエリアで提供されるカバレッジが増大することが理解されよう。
2016507982.tif 000002
【特許請求の範囲】
【請求項１】
ダウンリンク制御チャネル内で、所期のユーザ機器のための同一の反復する構成メッセージを符号化するステップを含む無線遠隔通信方法であって、前記構成メッセージは、前記ユーザ機器がトラフィック・チャネルを介してトラフィックにアクセスできるようにするための構成情報を提供し、前記構成メッセージは、一定の回数だけ、前記ダウンリンク制御チャネルの、相当する個数のサブフレーム内で反復される、無線遠隔通信方法。
【請求項２】
前記トラフィックを、前記相当する個数のサブフレームに関係する少なくとも１つのサブフレームの中で送信するステップを含む、請求項１に記載の方法。
【請求項３】
前記トラフィックを、前記相当する個数のサブフレームのうちの最後の１つの中で送信するステップを含む、請求項１乃至２のいずれか１項に記載の方法。
【請求項４】
前記所期のユーザ機器が劣悪な受信エリア内にあることを判定するステップを含み、前記符号化するステップは前記判定するステップに応答して行われる、請求項１乃至３のいずれか１項に記載の方法。
【請求項５】
前記判定するステップは、ＲＡＣＨプロシージャを前記ユーザ機器と完了できなかったことに応じて行われる、請求項４に記載の方法。
【請求項６】
前記相当する個数のサブフレームの中で符号化される構成メッセージに適用されるアグリゲーションを増加させるステップを含む、請求項１乃至５のいずれか１項に記載の方法。
【請求項７】
前記アグリゲーションを、事前構成されたアグリゲーション・レベルまで増加させるステップを含む、請求項６に記載の方法。
【請求項８】
前記アグリゲーションは、前記ダウンリンク構成メッセージの周波数領域アグリゲーションを含む、請求項６乃至７のいずれか１項に記載の方法。
【請求項９】
前記相当する個数のサブフレーム内で前記構成メッセージを符号化するステップに次いで、前記所期のユーザ機器のための、追加的な相当する一定複数個のサブフレームで送信される、追加的な反復する構成メッセージを符号化するステップを含み、前記追加的な構成メッセージは、減少されたアグリゲーション・レベルを有する、請求項１乃至８のいずれか１項に記載の方法。
【請求項１０】
前記追加的な相当する一定複数個のサブフレームは、前記相当する一定複数個のサブフレームを越える、請求項９に記載の方法。
【請求項１１】
前記ユーザ機器のために識別されたサブフレーム内で、前記構成メッセージの符号化を開始するステップを含む、請求項１乃至１０のいずれか１項に記載の方法。
【請求項１２】
ダウンリンク制御チャネル内で、所期のユーザ機器のための同一の反復する構成メッセージを符号化するように動作可能な符号化論理を含む基地局であって、前記構成メッセージは、前記ユーザ機器がトラフィック・チャネルを介してトラフィックにアクセスできるようにするための構成情報を提供し、前記構成メッセージは、一定の回数だけ、前記ダウンリンク制御チャネルの、相当する個数のサブフレーム内で反復される、基地局。
【請求項１３】
ダウンリンク制御チャネル内で、同一の反復する構成メッセージを復号するステップを含む無線遠隔通信方法であって、それぞれの構成メッセージは、ユーザ機器がトラフィック・チャネルを介してトラフィックにアクセスできるようにするための構成情報を提供し、前記構成メッセージは、一定の回数だけ、前記ダウンリンク制御チャネルの、相当する個数のサブフレーム内で反復される、無線遠隔通信方法。
【請求項１４】
ダウンリンク制御チャネル内で、同一の反復する構成メッセージを復号するように動作可能な復号論理を含むユーザ機器であって、それぞれの構成メッセージは、前記ユーザ機器がトラフィック・チャネルを介してトラフィックにアクセスできるようにするための構成情報を提供し、前記構成メッセージは、一定の回数だけ、前記ダウンリンク制御チャネルの、相当する個数のサブフレーム内で反復される、ユーザ機器。
【請求項１５】
コンピュータ上で実行されたときに、請求項１乃至１１または１３のいずれか１項に記載の方法ステップを実行するように動作可能なコンピュータ・プログラム製品。
【発明の詳細な説明】
【技術分野】
【０００１】
本発明は、無線遠隔通信方法、コンピュータ・プログラム製品およびネットワーク・ノードに関する。
【背景技術】
【０００２】
無線遠隔通信システムが知られている。セルラーシステムでは、無線カバレッジは、たとえば携帯電話などのユーザ機器へ、セルと呼ばれるエリアによって提供される。基地局は、無線カバレッジを提供するために、それぞれのセルに配置される。それぞれのセルのユーザ機器は、情報およびデータを基地局から受信し、情報およびデータを基地局へ送信する。
【０００３】
基地局によってユーザ機器へ送信される情報およびデータは、ダウンリンク・チャネルと呼ばれる、無線キャリアのチャネル上に現れる。ユーザ機器によって基地局へ送信される情報およびデータは、アップリンク・チャネルと呼ばれる、無線キャリアのチャネル上に現れる。基地局の配置は、ネットワーク・オペレータによって大部分は管理できるが、ユーザ機器の配置はそうでない。ネットワーク内のユーザ機器の配置は、想定外の結果を引き起こすことがある。
【０００４】
したがって、ユーザ機器と通信するための、改善された技法を提供することが望ましい。
【発明の概要】
【０００５】
第１の態様によれば、ダウンリンク制御チャネル内で、所期のユーザ機器のための同一の反復する構成メッセージを符号化するステップを含む無線遠隔通信方法が提供され、構成メッセージは、ユーザ機器がトラフィック・チャネルを介してトラフィックにアクセスできるようにするための構成情報を提供し、ダウンリンク構成メッセージは、一定の回数だけ、ダウンリンク制御チャネルの、相当する個数のサブフレーム内で反復される。
【０００６】
第１の態様は、ユーザ機器の配置に対してますます増加する問題が、ユーザ機器が大きい減衰を受けるエリアに配置される場合があるということであると認識する。この大きい減衰により、ユーザ機器が、適切なトラフィックにアクセスできるために必須である構成情報を、復号できなくなってしまう場合がある。これは、こうした減衰の大きいエリアに配置された場合、ユーザ機器が、トラフィックを送信し、また基地局からトラフィックを受信することが、事実上不可能であることを意味する。第１の態様はまた、既存の規格は、この構成情報を減衰の大きい配置に提供するための適切な技法を提供できないと認識し、このことは、それらの規格を実装するユーザ機器が、そのような配置内のネットワークと通信することができないことを意味する。第１の態様はさらに、これら減衰の大きいエリアに配置された場合は一部のユーザ機器にとって不都合である一方、ユーザ機器が減衰のより小さいエリアへ移動した場合にカバレッジは回復されること、しかしいったん取り付けられると動かない新たに出現した種類のユーザ機器（たとえばスマートメータなどの、マシンタイプの通信装置など）があることを認識する。それらのユーザ機器に対して、ネットワーク・カバレッジは提供されない。
【０００７】
したがって、無線遠隔通信方法が提供される。この方法は、同一の反復する構成メッセージを、ダウンリンク制御チャネル内で符号化するステップを含むことができる。この構成メッセージは、対応するアップリンクもしくはダウンリンク・トラフィック・チャネルまたはブロードキャスト・チャネルを介して送信されるアップリンクもしくはダウンリンク・トラフィック、またはブロードキャスト・トラフィックにアクセスするときのために、構成情報をユーザ機器に提供することができる。構成メッセージは、一定化、事前構成、または事前設定された回数だけ反復することができ、反復のそれぞれは、ダウンリンク制御チャネルの対応するサブフレーム内で行うことができる。複数のサブフレーム内で構成メッセージを反復することにより、ユーザ機器は、構成メッセージが復号され得る可能性を増大させるために、連続する反復からのエネルギーを合成することができる。したがって、このような反復によって、減衰の大きいエリアで提供されるカバレッジが増大することが理解されよう。
【０００８】
一実施形態では、この方法は、相当する個数のサブフレームに関係する少なくとも１つのサブフレームの中で、トラフィックを送信または受信するステップを含む。したがって、構成メッセージに関連付けられたトラフィックは、構成メッセージが反復されるサブフレームに関係する１つまたは複数のサブフレームで、送信または受信することができる。
【０００９】
一実施形態では、この方法は、相当する個数のサブフレームのうちの最後の１つの中で、トラフィックを送信または受信するステップを含む。したがって、トラフィックは、構成メッセージが反復されるサブフレームのうちの１つまたは複数の中で、送信または受信することができる。
【００１０】
一実施形態では、この方法は、所期のユーザ機器が劣悪な受信エリア内にあることを判定するステップを含み、この判定に応じて符号化が行われる。したがって、このような反復は、ユーザ機器が劣悪なカバレッジ・エリア内にあることが判定された場合のみ、行われることができる。そうでない場合、制御情報を送信するための既存のプロシージャを使用することができる。既存の技法を使用して通信を確立できないことを通じてなど、ユーザ機器が劣悪なカバレッジ・エリア内にあるかどうかを判定するための様々な技法があることが理解されよう。
【００１１】
一実施形態では、この判定は、無線アクセス・チャネルのＲＡＣＨプロシージャをユーザ機器と完了できなかったことに応じて行われる。したがって、ＲＡＣＨプロシージャが完了できなかった場合、ユーザ機器が劣悪なカバレッジ・エリア内にあることを判定することができる。
【００１２】
一実施形態では、この方法は、相当する個数のサブフレームの中で符号化される構成メッセージに適用されるアグリゲーション（ａｇｇｒｅｇａｔｉｏｎ）を、増加させるステップを含む。増加されたアグリゲーション・レベルを構成メッセージに適用することにより、合成可能なエネルギーの量が増大し、それにより、劣悪なカバレッジ・エリア内でこれらのメッセージを復号する能力が改善される。
【００１３】
一実施形態では、この方法は、アグリゲーションを、事前構成されたアグリゲーション・レベルまで増加させるステップを含む。したがって、メッセージを送信するネットワーク・ノードおよびメッセージを受信するネットワーク・ノードの両方が、使用されるアグリゲーション・レベルを認識するように、適用されるアグリゲーションは、事前設定、事前定義、事前構成、または一定化することができる。
【００１４】
一実施形態では、アグリゲーションは、構成メッセージの周波数領域アグリゲーションを含む。
【００１５】
一実施形態では、この方法は、相当する個数のサブフレーム内の構成メッセージを符号化するステップに次いで、所期のユーザ機器のための、追加的な相当する一定複数個のサブフレームで送信される、追加的な反復する構成メッセージを符号化するステップを含み、追加的な構成メッセージは、減少されたアグリゲーション・レベルを有する。したがって、いったん反復するメッセージが送信されると、適用されたアグリゲーションは、他のメッセージにとって利用可能なリソースを増大させるために、減少させることができる。
【００１６】
一実施形態では、追加的な相当する一定複数個のサブフレームは、相当する一定複数個のサブフレームを越える。
【００１７】
一実施形態では、この方法は、ユーザ機器のために識別されたサブフレーム内の構成メッセージの符号化を開始するステップを含む。したがって、第１の反復するメッセージの送信のために、特定のサブフレームを指定することができる。この第１のサブフレームは、ユーザ機器が適切な第１のサブフレームで復号を開始できるように、ユーザ機器に関連付けられ、かつユーザ機器に知られることができる。これにより、第１の送信が行われるサブフレームを識別するためのスライディング・ウィンドウを提供するために、本来なら必要となるリソースが削減されることが理解されよう。これはまた、異なるユーザ機器への送信を、無線フレーム内の異なるサブフレームにわたって分散させる助けとなる。
【００１８】
第２の態様によれば、ダウンリンク制御チャネル内で、所期のユーザ機器のための同一の反復する構成メッセージを符号化するように動作可能な符号化論理を含む基地局が提供され、構成メッセージは、ユーザ機器がトラフィック・チャネルを介してトラフィックにアクセスできるようにするための構成情報を提供し、構成メッセージは、一定の回数だけ、ダウンリンク制御チャネルの、相当する個数のサブフレーム内で反復される。
【００１９】
一実施形態では、この基地局は、相当する個数のサブフレームに関係する少なくとも１つのサブフレームの中で、トラフィックを送信または受信するように動作可能な論理を含む。
【００２０】
一実施形態では、論理は、相当する個数のサブフレームのうちの最後の１つの中で、トラフィックを送信または受信するように動作可能である。
【００２１】
一実施形態では、基地局は、所期のユーザ機器が劣悪な受信エリア内にあることを判定するように動作可能な判定論理を含み、符号化論理は、判定論理によって提供される指示に応じて、構成メッセージを符号化するように動作可能である。
【００２２】
一実施形態では、判定論理は、所期のユーザ機器が劣悪な受信エリア内であることを、ＲＡＣＨプロシージャをユーザ機器と完了できなかったことに応じて、判定するように動作可能である。
【００２３】
一実施形態では、符号化論理は、相当する個数のサブフレームの中で符号化される構成メッセージに適用されるアグリゲーションを、増加させるように動作可能である。
【００２４】
一実施形態では、符号化論理は、アグリゲーションを、事前構成されたアグリゲーション・レベルまで増加させるように動作可能である。
【００２５】
一実施形態では、符号化論理は、構成メッセージの周波数領域アグリゲーションを実行するように動作可能である。
【００２６】
一実施形態では、符号化論理は、相当する個数のサブフレーム内の構成メッセージを符号化するステップに次いで、所期のユーザ機器のための、追加的な相当する一定複数個のサブフレームで送信される、追加的な反復する構成メッセージを符号化するように動作可能であり、追加的な構成メッセージは、減少されたアグリゲーション・レベルを有する。
【００２７】
一実施形態では、追加的な相当する一定複数個のサブフレームは、相当する一定複数個のサブフレームを越える。
【００２８】
一実施形態では、符号化論理は、ユーザ機器のために識別されたサブフレーム内の構成メッセージの符号化を開始するように動作可能である。
【００２９】
第３の態様によれば、ダウンリンク制御チャネル内で、同一の反復する構成メッセージを復号するステップを含む無線遠隔通信方法が提供され、それぞれの構成メッセージは、ユーザ機器がトラフィック・チャネルを介してトラフィックにアクセスできるようにするための構成情報を提供し、構成メッセージは、一定の回数だけ、ダウンリンク制御チャネルの、相当する個数のサブフレーム内で反復される。
【００３０】
一実施形態では、この方法は、相当する個数のサブフレームに関係する少なくとも１つのサブフレームの中で、トラフィックを受信または送信するステップを含む。
【００３１】
一実施形態では、この方法は、相当する個数のサブフレームのうちの最後の１つの中で、トラフィックを受信または送信するステップを含む。
【００３２】
一実施形態では、この方法は、ユーザ機器が劣悪な受信エリア内にあることを判定するステップを含み、復号は、その判定に応じて行われる。
【００３３】
一実施形態では、この判定は、ＲＡＣＨプロシージャを完了できなかったことに応じて行われる。
【００３４】
一実施形態では、この方法は、相当する個数のサブフレームの中で、増加されたアグリゲーション・レベルで符号化された構成メッセージを復号するステップを含む。
【００３５】
一実施形態では、この方法は、相当する個数のサブフレームの中で、増加され事前構成されたアグリゲーション・レベルで符号化された構成メッセージを復号するステップを含む。
【００３６】
一実施形態では、アグリゲーションは、構成メッセージの周波数領域アグリゲーションを含む。
【００３７】
一実施形態では、この方法は、相当する個数のサブフレーム内の構成メッセージを復号するステップに次いで、追加的な相当する一定複数個のサブフレームで送信される追加的な反復する構成メッセージを復号するステップを含み、追加的な構成メッセージは減少されたアグリゲーション・レベルを有する。
【００３８】
一実施形態では、追加的な相当する一定複数個のサブフレームは、相当する一定複数個のサブフレームを越える。
【００３９】
一実施形態では、この方法は、ユーザ機器のために識別されたサブフレーム内の構成メッセージの復号を開始するステップを含む。
【００４０】
第４の態様によれば、ダウンリンク制御チャネル内で、同一の反復する構成メッセージを復号するように動作可能な復号論理を含むユーザ機器が提供され、それぞれの構成メッセージは、ユーザ機器がトラフィック・チャネルを介してトラフィックにアクセスできるようにするための構成情報を提供し、構成メッセージは、一定の回数だけ、ダウンリンク制御チャネルの、相当する個数のサブフレーム内で反復される。
【００４１】
一実施形態では、ユーザ機器は、相当する個数のサブフレームに関係する少なくとも１つのサブフレームの中で、トラフィックを受信または送信するように動作可能な論理を含む。
【００４２】
一実施形態では、論理は、相当する個数のサブフレームのうちの最後の１つの中で、トラフィックを受信または送信するように動作可能である。
【００４３】
一実施形態では、ユーザ機器は、ユーザ機器が劣悪な受信エリア内にあることを判定するように動作可能な判定論理を含み、復号論理は、ユーザ機器が劣悪な受信エリアにあるという判定論理からの指示に応じて動作可能である。
【００４４】
一実施形態では、判定論理は、ユーザ機器が劣悪な受信エリア内にあることを、ＲＡＣＨプロシージャを完了できなかったことに応じて、判定するように動作可能である。
【００４５】
一実施形態では、復号論理は、相当する個数のサブフレームの中で、増加されたアグリゲーション・レベルで符号化された構成メッセージを復号するように動作可能である。
【００４６】
一実施形態では、復号論理は、相当する個数のサブフレームの中で、増加され事前構成されたアグリゲーション・レベルで符号化された構成メッセージを復号するように動作可能である。
【００４７】
一実施形態では、アグリゲーションは、構成メッセージの周波数領域アグリゲーションを含む。
【００４８】
一実施形態では、復号論理は、相当する個数のサブフレーム内の構成メッセージを復号するステップに次いで、追加的な相当する一定複数個のサブフレームで送信される追加的な反復する構成メッセージを復号するように動作可能であり、追加的な構成メッセージは、減少されたアグリゲーション・レベルを有する。
【００４９】
一実施形態では、追加的な相当する一定複数個のサブフレームは、相当する一定複数個のサブフレームを越える。
【００５０】
一実施形態では、復号論理は、ユーザ機器のため識別されたサブフレーム内で、構成メッセージを復号するように動作可能である。
【００５１】
第５の態様によれば、コンピュータ上で実行されたときに、第１または第３の態様の方法ステップを実行するように動作可能なコンピュータ・プログラム製品が提供される。
【００５２】
さらに詳細で好ましい態様が、添付される独立および従属の特許請求の範囲に述べられる。従属の特許請求の範囲の特徴は、独立の特許請求の範囲の特徴と必要に応じて組み合わされてよく、特許請求の範囲で明示的に述べられたもの以外とも組み合わされる。
【００５３】
装置の特徴が、ある機能を提供するように動作可能であると述べられる場合、その機能を提供し、またはその機能を提供するように適合または構成される、装置の特徴を含むことが理解されよう。
【００５４】
次に、本発明の諸実施形態を、添付図面を参照して、さらに説明する。
【図面の簡単な説明】
【００５５】
【図１】一実施形態による、ユーザ機器が劣悪なカバレッジ・エリア内にあることを判定した後の、それらユーザ機器の初期アクセスのためのＰＤＣＣＨでの例示的な符号化を示す図である。
【発明を実施するための形態】
【００５６】
概要
実施形態をより詳細に述べる前に、まず概要を説明する。上述のように、一部のタイプのユーザ機器の配置に対する難しさは、ユーザ機器が、たとえば、建物内のそれらの位置による大きい透過損失などの、大きい損失を受けるエリアに配置され、したがって、ユーザ機器がネットワークと通信することが困難であることである。このようなユーザ機器の一例が、たとえば、スマート需給計器（ｓｍａｒｔ  ｕｔｉｌｉｔｙ  ｍｅｔｅｒ）などの機械によって使用される、マシンタイプの通信装置である。スマート需給計器には、地階または無線信号の大きい減衰を受ける他のエリアに配置されるものがあり、これらの装置のカバレッジを２０ｄｂ拡張することが望ましい。
【００５７】
ユーザ機器は、ネットワークへアクセスすることが可能となる前に、ダウンリンク構成情報を含むダウンリンク制御チャネルを読み取ることができる必要がある。このようなダウンリンク制御チャネルの一例が、物理ダウンリンク制御チャネル（ＰＤＣＣＨ）または拡張物理ダウンリンク制御チャネル（ＥＰＤＣＣＨ）であり、これらは、メッセージをユーザ機器へ転送するために使用されるリソースを、物理ダウンリンク共有チャネル（ＰＤＳＣＨ）および／または物理アップリンク共有チャネル（ＰＵＳＣＨ）に割り当てるために使用される。ＰＤＣＣＨまたはＥＰＤＣＣＨを検出および復号できないユーザ機器は、いかなるメッセージも、ネットワークから受信し、またはネットワークへ送信することができないはずである。
【００５８】
既存の技法は、アグリゲーションされた制御チャネル要素（ＣＣＥ）またはアグリゲーションされた拡張制御チャネル要素（ｅＣＣＥ）の個数に相当するアグリゲーション・レベルを利用し、これらの制御チャネル要素は通常、所与のサブフレームの周波数領域でアグリゲーションされる。アグリゲーション・レベルが高くなればなるほど、より多くの制御チャネル要素が制御メッセージの送信のために使用され、したがって、メッセージは受信にとってより頑強となる。これにより、メッセージを減衰の大きいエリア内で受信できるようになり、そのためカバレッジ・エリアが増大する。しかし、ＰＤＣＣＨまたはＥＰＤＣＣＨを送信するためのこの手法は、大きい透過損失のエリア内のユーザ機器にとって不十分である。
【００５９】
したがって、諸実施形態は、アグリゲーションされたメッセージが、ダウンリンク制御チャネル内のサブフレームの中で、複数回数だけ反復される技法を提供する。通常、たとえば、無線リソース・コネクション設定メッセージおよびコモン・メッセージのスケジューリングのためなどの初期アクセスに対して、制御チャネル・メッセージは、多数の連続するサブフレームの中で、時間および周波数での一定のアグリゲーション・レベルで反復される。すなわち、反復されるメッセージの位置および数は、周波数アグリゲーションのレベルとともに、一定化、事前設定、または事前構成される。というのも、基地局がユーザ機器に、これらのメッセージのフォーマッティングを通知する他の機会がないからである。メッセージを復号できるようにこれらのメッセージの信号エネルギーを合成可能にするために、サブフレーム内で反復され周波数領域の全域でアグリゲーションされるメッセージは同一である。いったんこのメッセージが正しく復号されると、ユーザ機器がＰＤＣＣＨおよび／またはＥＰＤＣＨで送信されるメッセージにアクセスして、ダウンリンク・トラフィックを受信可能にしたりアップリンク・トラフィックを送信可能にしたりすることが可能となり、ダウンリンク・トラフィックは通常、ダウンリンク構成メッセージの最後の反復のサブフレームに配置される。異なるサブフレームでトラフィックを送信できるが、これには、ユーザ機器にどのサブフレームがそのトラフィックを含んでいるかを教えるための、いくらかの追加の情報を要するはずであることが理解されよう。次いで、ＰＤＣＣＨおよび／またはＥＰＤＣＣＨのための時間および周波数でのアグリゲーションは、リソース上の負荷を削減するために、初期アクセスの後で他の値に再構成することができる。したがって、構成メッセージが、ダウンリンク構成メッセージおよび／またはアップリンク構成メッセージであってよいことが理解されよう。
【００６０】
活動化
通常、構成メッセージの反復は、ユーザ機器が劣悪なカバレッジ・エリア内にあることが検出された場合にのみ、活動化される。なぜなら、この手法は比較的大量のリソースを消費し、ユーザ機器のための無線状態が余分な反復を求めない場合にこの手法を使用する必要がないからである。たとえば、ユーザ機器が最初にランダム・アクセス・チャネル（ＲＡＣＨ）リソースを使用してネットワークへアクセスすることを試み、ネットワークへアクセスすることに失敗した場合に、広範囲の劣悪なカバレッジ領域でのランダム・アクセスのために設計された異なるセット（蓄積セット（ａｃｃｕｍｕｌａｔｉｖｅ  ｓｅｔ）と呼ばれることもある）からのＲＡＣＨリソースを使用することを検出することにより、ユーザ機器が劣悪なカバレッジ・エリア内にあることを検出できる。ユーザ機器が、通常のＲＡＣＨリソースを使用してネットワークにアクセスすることに失敗し、その代わり、蓄積セットのリソースを使用する場合、これはユーザ機器が劣悪な、または広範囲のカバレッジ領域内にあることを意味し、そのため、ＰＤＣＣＨおよび／またはＥＰＤＣＣＨを介して送信される信号のために、一定の時間および周波数アグリゲーション・レベルが使用される。同様に、ユーザ機器が拡張物理ブロードキャスト・チャネル・フォーマットを使用する必要がある場合も、ユーザ機器が広範囲のカバレッジ領域にありそうに思われ、コモン・メッセージのためにＰＤＣＣＨおよびＥＰＤＣＣＨの時間および周波数での反復が行われる。
【００６１】
反復
反復すなわち時間でのアグリゲーションのレベルは、その中でメッセージが最初に送信され、同じフォーマット（たとえば、変調、符号化、内容など）を伴う第１のサブフレームで使用されたものと同じインデックスを伴うＣＣＥまたはｅＣＣＥを使用して、ＰＤＣＣＨおよび／またはＥＰＤＣＣＨを介して送信される構成メッセージを、時間で反復することにより実施される。すなわち、同一のメッセージが、連続するサブフレームにわたって反復される。これらの連続するサブフレームは通常、以下でより詳細に説明するように、直接隣接するサブフレームである。しかし、反復は、メッセージを運ばないサブフレームが間にあっても行われることができることが理解されよう。このような時間での反復によって、ユーザ機器が、それぞれのサブフレームで反復されるメッセージからの信号エネルギーを合成して、このメッセージの改善された復号を提供できるようになる。
【００６２】
アグリゲーション
通常、低い周波数領域アグリゲーション・レベル（たとえば、アグリゲーション・レベル１および２−これはサブフレーム内のＣＣＥの数を表す）は、劣悪なカバレッジ・エリア内にあると識別されるユーザ機器の、初期アクセスまたはコモン・メッセージに使用されない。その代わり、諸実施形態は、より高いアグリゲーション・レベル（たとえば、８、１６、３２、またはそれ以上）を使用する。これにより、ユーザ機器によってＰＤＣＣＨおよび／またはＥＰＤＣＣＨを復号するために使用される探索空間が削減される。通常、送信する基地局および受信するユーザ機器の両方が、使用されるアグリゲーションのレベルを知るように、使用されるアグリゲーションのレベルは一定化、事前設定、または事前構成される。
【００６３】
メッセージの開始
いくつかの実施形態では、反復される制御メッセージが最初に送信されるサブフレームの位置は、ユーザ機器ごとに指定される。すなわち、ある決まったサブフレームでのみ制御チャネル・メッセージが開始できるように、ＰＤＣＣＨ／ＥＰＤＣＣＨを介して送信されるメッセージの時間領域反復の境界が指定され、こうしたサブフレームは通常、周期的に現れる。たとえば、反復のこの境界は、ＲＡＣＨリソース（たとえば、初期アクセスまたはＳＩ−ＲＮＴＩ（コモン・メッセージの場合）を送信するために使用される蓄積セット）に応じて指定可能である。この境界は、ユーザ機器に、第１の反復の時間領域の位置を指定する。
【００６４】
ダウンリンク・トラフィックの防止
以前の技法は、ダウンリンク・トラフィックの送信のためのリソースを、ダウンリンク構成情報が送信される同じサブフレーム内に割り当てる。たとえば、リソースは、ＰＤＣＣＨおよび／またはＥＰＤＣＣＨでメッセージを運ぶサブフレームと同じサブフレーム内でのデータ送信のために、ＰＤＳＣＨまたはＰＵＳＣＨに割り当てられる。諸実施形態では、メッセージは、反復されたメッセージの最後の反復が行われるサブフレーム内の、ＰＤＣＣＨおよび／またはＥＰＤＣＣＨで送信されるメッセージで示されるＰＤＳＣＨおよび／またはＰＵＳＣＨリソースを使用して送信される。これにより、ダウンリンク・トラフィックがスケジュールされているサブフレームを示すために、ダウンリンク制御メッセージ（ＤＣＩメッセージなど）に追加の情報を含める必要が回避される。また、すべてのメッセージ反復のために、サブフレームにリソースを予約する必要が回避される。
【００６５】
ユーザ機器の符号化の例
図１は、ユーザ機器が劣悪なカバレッジ・エリア内にあることを判定した後の、そのユーザ機器の初期アクセスのためのＰＤＣＣＨの例示的な符号化を示している。ユーザ機器および基地局の両方は、以下の符号化パラメータを前提とするように事前構成される。すなわち、周波数領域アグリゲーション・レベル１６または３２が適用され、メッセージが１０個の連続するサブフレーム（すなわち、１０反復）で反復され、第１の反復が行われるサブフレーム（すなわち、ＰＤＣＣＨの時間反復の境界）は使用される蓄積セットに比例する。すなわち、第１の反復を含むサブフレームは、Ｎ  Ｍｏｄ  １０であり、ここでＮは、成功したＲＡＣＨ送信のためにユーザ機器によって使用されたＮ番目の蓄積セットである。
【００６６】
ＭＴＣ１およびＭＴＣ２がセル縁部の地階に配置されている２つのユーザ機器であるので、その両方が、拡張されたダウンリンク符号化を必要とすることが判定され、ＭＴＣ１はランダムに蓄積セット５を選択し、一方、ＭＴＣ２はランダムに蓄積セット２を選択する。
【００６７】
したがって、ＭＴＣ１の送信はサブフレーム５で発生し、一方、ＭＴＣ２の送信はサブフレーム２で開始する。ＭＴＣ１は、サブフレーム５で開始する１０個の連続したサブフレームからのＰＤＣＣＨ信号を合成し、次いで、これらを周波数領域アグリゲーション・レベル１６および３２でブラインド復号（ｂｌｉｎｄ  ｄｅｃｏｄｅ）する。同様に、ＭＴＣ２は、サブフレーム２で開始する１０個の連続したサブフレームからのＰＤＣＣＨ信号を合成し、次いで、これらを周波数領域アグリゲーション・レベル１６および３２でブラインド復号する。
【００６８】
ＭＴＣ１のＰＤＳＣＨリソースは、次の無線フレームの４番目のサブフレーム（最後のＰＤＣＣＨ反復を含むサブフレーム）に割り当てられる。同様に、ＭＴＣ２のＰＤＳＣＨリソースは、次の無線フレームの１番目のサブフレーム（最後のＰＤＣＣＨ反復を含むサブフレームである）に割り当てられる。
【００６９】
このフォーマットの初期アクセス・メッセージ（たとえば、無線リソース・コネクション設定メッセージ）をネットワークから受信した後、ネットワークは、ユーザ機器のアグリゲーションを他の値に再構成することができる。たとえば、ネットワークはＲＲＣコネクション設定メッセージを使用して、ユーザ機器が、たとえば、１５反復およびより低い範囲の周波数領域アグリゲーション（たとえば、アグリゲーション・レベル２と１６の間）を復号するように再構成することができる。
【００７０】
したがって、諸実施形態によって、ＰＤＣＣＨ／ＥＰＤＣＣＨチャネルが、たとえば、セル縁部における建物の地階に配置されているユーザ機器を賄うように拡張できることが理解され得る。
【００７１】
当業者であれば、上述した様々な方法のステップが、プログラムされたコンピュータにより実行可能であることを容易に理解するはずである。本明細書では、いくつかの実施形態はまた、たとえば、デジタルデータ記憶媒体など、機械またはコンピュータで読取り可能であり、機械実行可能またはコンピュータ実行可能な、命令のプログラムを符号化するプログラム記憶装置を包含することを意図しており、ここで、前記命令は、前記上述した方法のステップの一部または全部を実行する。プログラム記憶装置は、たとえば、デジタルメモリ、磁気ディスクおよび磁気テープなどの磁気記憶媒体、ハードドライブ、または光学的に読取り可能なデジタルデータ記憶媒体でよい。諸実施形態はまた、上述した方法の前記ステップを実行するようにプログラムされたコンピュータを包含することを意図している。
【００７２】
諸図に示される様々な要素の機能は、「プロセッサ」または「論理」とラベル付けされた任意の機能ブロックを含め、専用ハードウェア、および適切なソフトウェアと共同してソフトウェアを実行できるハードウェアの利用を通じて、提供されてもよい。プロセッサによって提供される場合、機能は、単一の専用プロセッサによって、単一の共用プロセッサによって、またはそれらの一部が共用可能な複数の個別プロセッサによって、提供されてもよい。さらに、「プロセッサ」または「コントローラ」または「論理」という用語の明示的な使用は、ソフトウェアを実行できるハードウェアを排他的に指すと解釈されるべきでなく、それだけに限らないが、デジタル・シグナル・プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを記憶するためのリード・オンリ・メモリ（ＲＯＭ）、ランダム・アクセス・メモリ（ＲＡＭ）、および不揮発性記憶装置を、暗示的に含むことができる。通常の、および／またはカスタムの他のハードウェアも含まれてよい。同様に、諸図に示す任意のスイッチは、単に概念的なものである。それらの機能は、プログラム論理の操作を通じて、専用論理を通じて、プログラム制御および専用論理の相互作用を通じて、または手動でも実施されることができ、個別の技法は、文脈からより詳細に理解されるように、実施者により選択可能である。
【００７３】
本明細書の任意のブロック図は、本発明の原理を具体化する例示的な回路の概念図を表していることが、当業者により理解されるべきである。同様に、任意のフローチャート、流れ図、状態遷移図、擬似コードなどは、様々なプロセスを表し、それらのプロセスは、コンピュータ可読媒体で実質的に表現できるので、そのようなコンピュータまたはプロセッサが明示的に示されているか否かにかかわらず、コンピュータまたはプロセッサによって実行可能であることが理解されよう。
【００７４】
記述および図は、単に本発明の原理を示すものである。したがって、本明細書に明示的に記述または図示していないが、本発明の原理を具体化し、本発明の趣旨および範囲に含まれる様々な構成を、当業者であれば考案することが理解されるであろう。さらに、本明細書に詳述したすべての例は、原則として、読者が本発明の原理およびその技術を推進する発明者によって提供された概念を理解するのを支援するために、教育のみを目的とすることを明確に意図するものであり、そのような具体的に詳述された例および条件に限定しないものとして解釈するべきである。さらに、本発明の原理、態様および実施形態を述べる本明細書のすべての記述、およびそれらの具体例は、それらの均等物を包含することを意図している。
【図１】
2016507982.tif 000003
【国際調査報告】
2016507982.tif 000004
2016507982.tif 000005
2016507982.tif 000006